(57)【要約】【課題】　在宅者に面倒な手数をかけることなく、多数の在宅者の健康管理を集中的に管理することができる在宅健康管理サービスビジネスを提供する。【解決手段】　人体から排泄される尿に含まれている尿糖を在宅で経時的に計測して電気的な計測データを自動生成するサービス受給者装置２を、登録されている在宅者に配布し、在宅者ごとの計測データを、インターネット３を介して当該在宅者から前記健康管理センター１に収集する。健康管理基礎データと、収集された計測データに基づいて在宅者の経時的な健康状態を管理し、在宅者の健康維持に必用なサービスを供与する。【選択図】　　　図５ 
2004038990.tif 000002
【特許請求の範囲】
【請求項１】
登録された在宅者の健康管理に必要な個人データが健康管理基礎データとして登録され、かつ、在宅者から提供される計測データに基づいて当該在宅者の健康状態を推論し、当該在宅者に、健康管理に必用なサービス、または推論された健康状態に適合したサービスを提供する機能を有する健康管理センターをインターネット上に構築し、
　人体から排出される物質に含まれている所定の化学成分を、その排出位置で経時的に検出して電気的な計測データを自動生成するバイオセンサ装置を、在宅者健康管理サービスを享受しようとする在宅者に配布し、
　登録されている在宅者ごとの計測データを、前記インターネットを介して当該在宅者から前記健康管理センターに収集し、
　前記健康管理基礎データと、収集された計測データに基づいて在宅者の経時的な健康状態を管理し、在宅者の健康維持に必用なサービスを提供する、
在宅者健康管理サービス提供方法。
【請求項２】
前記在宅者の体内から排出される物質は、在宅者から排泄される尿であり、
　計測時には、便器内に配置して尿の化学成分中の、所定の化学成分を計測成分として検出し、その検出値を電気信号に変換するバイオセンサと、該バイオセンサが生成した電気信号を前記便器外で処理する信号処理部とを用いて前記バイオセンサ装置を構成し、尿の化学成分中の、日常の健康状態に対応して変化する病態に関連する成分を計測成分として、当該計測成分を経時的に計測する
請求項１に記載の在宅者健康管理方法。
【請求項３】
前記健康管理センターは、登録された総ての在宅者に、基本サービスとして特定の前記病態に関連する知識を抽出することができるように整理され加工された情報を提供し、在宅者が選択することができる選択サービスとして、前記特定の病態の、前記推論された健康状態に適合したサービスを提供する、請求項２に記載の在宅者健康管理サービス提供方法
【請求項４】
健康管理対象の病態が糖尿病である場合には、糖、ケトン体、３？ヒドロキシル酪酸、Ｃ？ペプチド、または、その他の糖尿病に関係がある化学成分を計測するバイオセンサを使用する、請求項２に記載の在宅者健康管理サービス提供方法。
【請求項５】
健康管理対象の病態が肝臓病である場合には、胆汁酸、ピルビン酸、ウロビリノーゲン、ビリルビン、または、その他の肝臓病に関係がある化学成分を計測するバイオセンサを使用する、請求項２に記載の在宅者健康管理サービス提供方法。
【請求項６】
健康管理対象の病態が腎臓病である場合には、蛋白、アルブミン、クレアチニン、シュウ酸、または、その他の腎臓病に関係がある化学成分を計測するバイオセンサを使用する、請求項２に記載の在宅者健康管理サービス提供方法。
【請求項７】
健康管理対象の病態がストレスまたは疲労である場合には、乳酸、尿のpH、または、その他のストレス、疲労の度合いの目安となる化学成分を測定するセンサを使用する、請求項２に記載の在宅者健康管理サービス提供方法。
【請求項８】
登録された在宅者の健康管理に必要な個人データが健康管理基礎データとして登録され、かつ、在宅者から経時的に提供される計測データを蓄積するデータベースを有し、在宅者から提供される計測データに基づいて当該在宅者の健康状態を推論し、当該在宅者に、健康管理に必要なサービス、または推論された健康状態に適合したサービスを提供する機能を有し、インターネット上に構築されている健康管理センターと、
　人体内から排出される物質に含まれている所定の化学成分を、その排出位置で経時的に検出して、その検出値を電気信号に変換するバイオセンサと、バイオセンサの出力を処理して計測データを自動生成し、かつ、該計測データを、計測が行われた時間データとともに前記インターネットを介して前記健康管理センターへ送信するための出力制御と、前記インターネットを介して前記健康管理センターから送信された情報を入力するための入力制御を行う信号処理部と、前記信号処理部とインターネットとの間の信号の授受を行う情報端末とを有するサービス受給者装置を有し、
　前記サービス受給者装置は、経時的に生成された計測データを、前記健康管理センターを送信先として前記インターネット上に送信し、前記健康管理センターは、受信した計測データが、登録された在宅者を送信元とするときには、登録されている健康管理基礎データを参照して、受信した計測データに基づいて当該在宅者の健康状態を推論し、当該在宅者に、健康管理に必要な情報、または推論された健康状態に適合したサービスを提供する、
在宅者健康管理サービス提供システム。
【請求項９】
前記在宅者の体内から排出される物質は、在宅者から排泄
される尿であり、
　前記バイオセンサは、動作時には便器内に配置され、尿の化学成分中の、日常の健康状態に対応して変化する、病態に関連する成分を計測成分としてその計測成分を検出し、その検出値を電気信号に変換し、前記信号処理部は前記便器外に配置され、該バイオセンサが生成した電気信号を処理して計測データを生成する、請求項８に記載のシステム。
【請求項１０】
前記健康管理センターは、在宅者から提供される計測データとデータベースに蓄積されている前記健康管理基礎データとに基づいて当該在宅者の健康状態を推論し、当該在宅者に疾患の可能性があると推論した場合には、当該疾患に対する最適のアドバイスを探索するエキスパートシステムを有する、請求項８に記載のシステム。
【請求項１１】
前記健康管理センターは、前記健康管理基礎データを参照して在宅者から提供される計測データに基づいて当該在宅者の健康状態を診断し、健康管理について在宅者に支援を与えることができる専任の専門家、または、該健康管理センターとインターネット上でリンクした専門家を所属させている、
請求項１０に記載のシステム。
【請求項１２】
前記健康管理センターは、推論された健康状態に適合したサービスとして、食事療法、運動療法、または、投薬について、在宅者に支援を与えることができる専任の専門家、または、該健康管理センターとインターネット上でリンクした専門家を所属させている、請求項１１に記載のシステム。
【請求項１３】
前記健康管理センターは、推論された健康状態に適合した食事療法を実施するために該健康管理センターによって献立された食品を在宅者に提供する、該健康管理センターとインターネット上でリンクしている食品提供者を有する請求項１２に記載のシステム。
【請求項１４】
前記健康管理センターは、登録された総ての在宅者に、基本サービスとして前記バイオセンサによって計測された化学成分が関連する特定の病態に関する知識を抽出することができるように整理され加工された計測データを提供し、在宅者が選択することができる選択サービスとして、前記特定の病態に対する、前記専門家によって与えられる支援を提供する。請求項１２に記載の在宅者健康管理サービス提供システム。
【請求項１５】
前記健康管理センターは、前記在宅者に対して、前記選択サービスとして、計測データから推論される病態についての精密検査をあらかじめ送付した教示情報と材料を用いて在宅で行う、請求項１４に記載のシステム。
【請求項１６】
前記健康管理センターは、在宅者の病態検査を行う機能を有する検査会社と業務提携を行っていて、選択サービスとして、在宅者の健康管理基礎データと計測データを当該検査会社に提供して、当該検査会社に対して所定の病態検査を行わせる、請求項１５に記載のシステム。
【請求項１７】
前記病態は糖尿病であり、前記バイオセンサは、糖、ケトン体、３？ヒドロキシル酪酸、Ｃ？ペプチド、または、その他の糖尿病に関係がある化学成分を計測するセンサである、請求項９に記載の在宅者健康管理サービス提供システム。
【請求項１８】
前記病態は肝臓病であり、前記バイオセンサは、胆汁酸、
ピルビン酸、ウロビリノーゲン、ビリルビン、または、その他の肝臓病に関係が
ある化学成分を計測するセンサである、請求項９に記載の在宅者健康管理サー
ビス提供システム。
【請求項１９】
前記病態は腎臓病であり、前記バイオセンサは、蛋白、ア
ルブミン、クレアチニン、シュウ酸、または、その他の腎臓病に関係がある化学
成分を計測するセンサである、請求項９に記載の在宅者健康管理サービス提供
システム。
【請求項２０】
前記バイオセンサは、乳酸、尿のpH、または、その他のス
トレス、疲労の度合いの目安となる化学成分を測定するセンサである、請求項９に記載の在宅者健康管理サービス提供システム。
【請求項２１】
前記サービス受給者装置は、バイオセンサが使用された回数および使用された累積時間とバイオセンサの較正値を計測してバイオセンサのメンテナンス用データとして前記健康管理センターに送信する機能を有し、前記健康管理センターは、バイオセンサのメンテナンスサービスとして、メンテナンス用データをデータベースに蓄積し、更に、データベースに蓄積されているメンテナンス用データから、在宅者に対して、現在のバイオセンサの状態および寿命予告の通知を行う、請求項８に記載のシステム。
【請求項２２】
登録された在宅者の健康管理に必要な個人データが健康管理基礎データとして登録され、かつ、在宅者から経時的に提供される計測データを蓄積するデータベースを有し、在宅者から提供される計測データに基づいて当該在宅者の健康状態を推論し、当該在宅者に、健康管理に必要なサービス、または推論された健康状態に適合したサービスを提供する機能を有し、インターネット上に構築されている健康管理センターと、
　人体内から排出される物質に含まれている所定の化学成分を、その排出位置で経時的に検出して、その検出値を電子信号に変換するバイオセンサと、バイオセンサの出力を処理して計測データを自動生成し、かつ、該計測データを、計測が行われた時間データとともに前記インターネットを介して前記健康管理センターへ送信するための出力制御と、前記インターネットを介して前記健康管理センターから送信された情報を入力するための入力制御を行う信号処理部と、前記信号処理部とインターネットとの間の信号の授受を行う情報端末とを有するサービス受給者装置を有し、
　前記サービス受給者装置は、経時的に生成された計測データを、前記健康管理センターを送信先として前記インターネット上に送信し、前記健康管理センターは、受信した計測データが、登録された在宅者を送信元とするときには、登録されている健康管理基礎データを参照して、受信した計測データに基づいて当該在宅者の健康状態を推論し、当該在宅者に、健康管理に必要な情報、または推論された健康状態に適合したサービスを提供し、
　前記サービス受給者装置は、さらに、バイオセンサが使用された回数および使用された累積時間とバイオセンサの較正値を計測してバイオセンサのメンテナンス用データとして前記健康管理センターに送信する機能を有し、前記健康管理センターは、バイオセンサのメンテナンスサービスとして、メンテナンス用データをデータベースに蓄積し、更に、データベースに蓄積されているメンテナンス用データから、在宅者に対して、現在のバイオセンサの状態および寿命予告の通知を行う在宅者健康管理サービス提供システムにおける在宅者健康管理サービス提供方法において、
　前記データベースに蓄積されているメンテナンス用データから使用頻度の傾向を分析し、バイオセンサの交換時期、消耗品の必要時期を推論して、必要部材が不足する前に事前に当該必要部材を配達するとともに、その頻度に応じて月極のサービス料金を決定して課金する在宅者健康管理サービス提供方法。
【請求項２３】
登録された在宅者の健康管理に必要な個人データが健康管理基礎データとして登録され、かつ、在宅者から提供される、日常の健康状態に対応して変化する、特定の病態に関連する計測データに基づいて当該在宅者の健康状態を推論し、当該在宅者に、健康管理に必用なサービス、または推論された健康状態に適合したサービスを提供する機能を有し、インターネット上に構築されている健康管理センターによる在宅者健康管理サービス提供方法において、
　健康管理基礎データと計測データとに基づいて、登録されている在宅者の個人データと病態を複数の類型に類別してそれぞれの類型に属する在宅者名簿を作成し、
　登録されている在宅者相互間通信の希望を有する在宅者を前記インターネットを介して募集し、
　応募在宅者と同一類型の在宅者の名簿を、当該類型の応募在宅者に公表する、在宅者健康管理サービス提供方法。
【請求項２４】
登録された在宅者の健康管理に必要な個人データが健康管理基礎データとして登録され、かつ、在宅者から提供される計測データに基づいて当該在宅者の健康状態を推論し、当該在宅者に、健康管理に必用なサービス、または推論された健康状態に適合したサービスを提供する機能を有する健康管理センターをインターネット上に構築し、
　人体から排泄される尿に含まれている、病態に関連する化学成分値を在宅で経時的に計測して電気的な計測データを自動生成する在宅検査装置を、在宅者健康管理サービスを享受しようとする在宅者に配布し、
　登録されている在宅者ごとの計測データを、前記インターネットを介して当該在宅者から前記健康管理センターに収集し、
　所定期間、所定回数以上の前記計測データが、所定の範囲内にある場合には生命保険料の割引を要求するための証明書を発行する、
在宅者健康管理サービス提供方法。                                                                     
【発明の詳細な説明】
【技術分野】
【０００１】
　本発明は、尿に含まれる糖分、血液、タンパク質、ホルモン、ビタミン等の成分を検査するトイレ設置型検査装置を用いて、個人が在宅のままで（以下、在宅の個人を在宅者と記す）、その健康を管理することを支援する健康管理サービスを提供する在宅者健康管理サービス提供方法およびその方法を実施するための在宅者健康管理サービス提供システムに関する。
【０００２】
　以下の記述において、「在宅」という用語を個人が自宅にいることに限定しない。例えば、当該個人が日常勤務している会社や官庁のような、健康管理を目的としない施設にいることも、「在宅」の概念に含まれるものとする。
【背景技術】
【０００３】
　特許文献１には、トイレットを利用して尿のサンプリングと分析を行い、個人の健康チェックを支援することが可能な、尿分析機能を備えたトイレ設置型尿糖検査装置が提案されている。この発明は、尿分析のために、トイレットにおいて個人が排泄した尿をサンプリングするためのサンプリング装置に関し、より詳しくは、採尿容器の洗浄機構に関する発明である。
【０００４】
　この尿糖検査装置においては、採尿器がスイングアームの先端に取り付けられている。採尿器は、採尿のときには、スイングアームの回転によって便座の下側にある休止位置から便器中の採尿位置に移動する。採尿器に採取された尿は、採尿管と尿吸引チューブを経由して、便器外にある尿検査装置へ汲み上げられて検査される。採尿器は、採尿後には、スイングアームの回転によって便座の下の休止位置に復帰し、そこで、ノズルから噴射される洗浄水によって洗浄される。以下、この尿糖検査装置を第１の従来型検査装置と記す。
【０００５】
　特許文献２には、尿糖チェックを容易に行うことができる尿糖センサ付き便器が記載されている。以下、この尿糖センサ付き便器を第２の従来型検査装置と記す。
【０００６】
　この便器は、アームと、アームを便器の所定位置まで進退させる尿糖センサ進退機構と、尿糖に反応する感応部とを備えている。感応部は、アームの先端に着脱自在に取り付けられている。尿を排出した後、尿糖センサは下降して尿溜まり部の尿中に浸漬される。そして、便器の尿溜まり部に溜まっている尿中に含まれている尿糖が検査される。感応部は、使用後には水洗して保存液を塗布された後、格納位置に後退させられる。このようにして、尿糖センサを繰り返し使用することができる。
【０００７】
　次に、従来の在宅健康管理について説明する。従来、在宅で健康を管理する方法は、通常、家庭で容易に入手することができる体温計、体重計、血圧計や体脂肪計の測定値を記録して、異常な数値が発生した場合には医師の診察を受けるのが一般的である。
また、糖尿病、腎疾患、肝疾患のように尿に含まれている化学成分値から病態を判断することができる病気については、病院または保健所において、支給された容器に尿を採取して検査を行っていた。
【０００８】
　また、これまでのインターネット上の健康管理サービスとしては、定性的な自分の病態や、身長、体重、定期検診データの定量的な数値データ等を入力すると、自動的に可能性のある疾患が表示されたり、医師からコメントを貰うサービスがある。
【特許文献１】特開平８−３１９６４７
【特許文献２】特開平１０−１７０５１２
【発明の開示】
【発明が解決しようとする課題】
【０００９】
　上記の第１の従来型検査装置には次のような問題点がある。
【００１０】
　採尿器の位置と、採取した尿を検査する装置の位置が離れているので、採尿管や尿吸引チューブなどの配管系が必要であり、また、尿を検査装置に汲み上げるためのポンプや、尿の検査装置への注入・排出を制御するための電磁弁なども必要である。
【００１１】
　このため装置が大型化し、その構造は複雑になり、その結果、故障する可能性が高く、維持費用も高額である。また、尿の検査に時間が掛かり、薬液の使用量や、装置内を清浄に保つための水を大量に使用しなければならないという問題もある。
【００１２】
　第２の従来型検査装置の問題点は、尿を排出したとき、常時、水で満たされている尿溜まり部の水と尿とが混合する点である。尿と水とが混合するとき、それらの混合比は必ずしも一定ではない。例えば、同一の人間であっても、大量に放尿するときと少量しか放尿しないことがある。また、１回当たりの排泄量は、年齢や気温にも影響を受けるので、再現性のある測定値を得ることはできない。
【００１３】
　また、正確な測定値を得るためには、はじめに排水により、尿溜まり部を洗い流したり、更に圧縮空気を吹きかける等の操作をして尿溜まり部から水を排除しておくのが望ましいことが明細書に記載されている。
【００１４】
　したがって、第２の従来型検査装置による尿検査は、おおざっぱな検査しか行うことができず、もし正確な検査を意図する場合には、様々な駆動部や付加的機構が必要になる。
【００１５】
　また、在宅健康管理について、上記の従来の在宅健康管理方法およびインターネット上の健康管理サービスには、次の問題点がある。
第１の問題点は、在宅者が何らかの自覚症状がなければ医師の診断を受けたり、インターネット上に自分の病態を入力したりすることがないことである。したがって、在宅者に自覚症状がなかったり、自覚症状があっても、在宅者に、その自覚症状が医師の診断を仰ぐべき症状であると判断する医学的知識がなければ、医師の診断をうける機会を失してしまうことになる。
【００１６】
　第２の問題点は、特に、糖尿病のように、尿検査が必用な病態に対する健康管理においては、在宅で尿糖検査をすることができないので、病院や保健所に行って検査を受けなければならないという面倒がある。さらに、周知のように、尿糖は食後の時間や人間の生理状態によって変化するので、病院や保健所で検査を受けるときには、その検査前の所定時間の間、絶食を強いられるのが普通である。
このような面倒のために、本来、日常生活において健康管理が必用な病態に対して、勤務先の会社や官庁、または自治体が行う年１回の定期検診による以外には健康管理の方法がないという問題点がある。
【００１７】
　第３の問題点は、従来の在宅健康管理サービスにおいては、病態に対する健康管理に必用な、継続的なデータが在宅では必ずしも充分に得にくく、従って、在宅者の健康の実態の入力が面倒な割に患者側が得るメリットが少ない。その結果、在宅健康管理サービスがビジネスにはなり難いという問題点がある。
【００１８】
　本発明の目的は、在宅で容易に、かつ、経時的に尿検査をすることができるトイレ設置型尿検査装置を用いた在宅者健康管理サービス提供方法および在宅者健康管理サービス提供システムを創設し、それによって、前掲の第３の問題点を解決することにある。
【課題を解決するための手段】
【００１９】
　在宅者への健康管理サービスについて、このサービスがビジネスとして
成立するためには、次の仕組みが必要である。
１）在宅者の健康管理に必要な計測データが、在宅者に特別な技術的知識がなくても容易かつ定常的に生成される。
２）多数の在宅者によって生成された計測データが容易に収集される。
３）収集された計測データが集中的に管理されるとともに、在宅者の健康状態を計測データから推論し、その推論された健康状態に対応する適正なサービスを在宅者に与える。
この課題を解決するために、本発明の第１の在宅者健康管理サービス提供方法は、登録された在宅者の健康管理に必要な個人データが健康管理基礎データとして登録され、かつ、在宅者から提供される計測データに基づいて当該在宅者の健康状態を推論し、当該在宅者に、健康管理に必用なサービス、または推論された健康状態に適合したサービスを提供する機能を有する健康管理センターをインターネット上に構築し、
人体から排出される物質に含まれている所定の化学成分を、その排出された位置で経時的に計測して電気的な計測データを自動生成するバイオセンサ装置を、在宅者健康管理サービスを享受しようとする在宅者に配布し、
登録されている在宅者ごとの計測データを、前記インターネットを介して当該在宅者から前記健康管理センターに収集し、
前記健康管理基礎データと、収集された計測データに基づいて在宅者の経時的な健康状態を管理し、在宅者の健康維持に必用なサービスを提供する、
手順を含んでいる。
【００２０】
　このように、配布されたバイオセンサ装置は、人体から排出される物質に含まれている所定の化学成分を、その排出された位置で経時的に検出して電気的な計測データを自動生成するので、在宅者は、所定の化学成分が人体から排出されるときに、バイオセンサ装置をその排出位置に配置するという簡単な行為を行うのみでよく、それ以後の計測データを生成する処理は自動で行われる。したがって、前掲の仕組み１）が達成される。
【００２１】
　在宅で生成された計測データは電気信号であるので、インターネット上に構築されている健康管理センターに、インターネットを介して容易に収集することができる。このようにして、前掲の仕組み２）が達成される。
【００２２】
　各在宅者から収集された計測データは、健康管理センターで集中的に管理され、健康管理センターは、健康管理に必用なサービス、または推論された健康状態に適合したサービスを提供する機能を有するので、前掲の仕組み３）が達成される。
【００２３】
　なお、前記のバイオセンサ装置に関連して、「その排出された位置」とは、例えば、排出された物質が尿である場合には、「便器の中」のように、その物質が排泄されたままの位置ということで、排出後に人為的に導管等で導かれた位置と区別した位置概念である。また、「経時的」とは、「時間の経過毎に」という意味で、必ずしも一定の周期毎でなくてもよい。例えば、排出する物質が尿である場合には、尿を排泄するたびでよい。在宅者の負担にならない程度に時間間隔をおけばよろしいけれど、例えば、食事時間や睡眠時間のように、人体の生理に影響のある時間を基準にして、計測データを収集することが望ましい。
【００２４】
　前記の在宅者健康管理サービス提供方法を実施するための在宅者健康管理サー
ビス提供システムは、
登録された在宅者の健康管理に必要な個人データが健康管理基礎データとして登録され、かつ、在宅者から経時的に提供される計測データを蓄積するデータベースを有し、在宅者から提供される計測データに基づいて当該在宅者の健康状態を推論し、当該在宅者に、健康管理に必要なサービス、または推論された健康状態に適合したサービスを提供する機能を有し、インターネット上に構築されている健康管理センターと、
人体内から排出される物質に含まれている所定の化学成分を、その排出された位置で経時的に検出して、その検出値を電気信号に変換するバイオセンサと、バイオセンサの出力を処理して計測データを自動生成し、かつ、該計測データを、計測が行われた時間データとともに前記インターネットを介して前記健康管理センターへ送信するための出力制御と、前記インターネットを介して前記健康管理センターから送信された情報を入力するための入力制御を行う信号処理部と、前記信号処理部とインターネットとの間の信号の授受を行う情報端末とを有するサービス受給者装置（前記の在宅者健康管理サービス提供方法におけるバイオセンサ装置に該当）と
を有し、
サービス受給者装置は、経時的に生成された計測データを、前記健康管理センターを送信先として前記インターネット上に送信し、健康管理センターは、受信した計測データが、登録された在宅者を送信元とするときには、登録されている健康管理基礎データを参照して受信した計測データに基づいて当該在宅者の健康状態を推論し、当該在宅者に、健康管理に必要な情報、または推論された健康状態に適合したサービスを提供する。
【００２５】
　本発明の一実施形態においては、前記在宅者の体内から排出される物質は、在宅者から排泄される尿であり、
前記サービス受給者装置は、計測時には、便器内に配置されて尿の化学成分中の、所定の化学成分を計測成分として検出し、その検出値を電気信号に変換するバイオセンサと、該バイオセンサが生成した電気信号を前記便器外で処理する信号処理部とを用いて構成され、尿の化学成分中の、日常の健康状態に対応して変化する病態に関連する成分を計測成分として、当該計測成分を経時的に計測する。
【００２６】
　健康管理センターは、登録された総ての在宅者に、基本サービスとして特定の前記病態に関連する知識を抽出することができるように整理され加工された情報を提供し、在宅者が選択することができる選択サービスとして、前記特定の病態の、前記推論された健康状態に適合したサービスを提供する。
【００２７】
　バイオセンサの一実施例として、糖、ケトン体、３？ヒドロキシル酪酸、Ｃ？ペプチド、または、その他の糖尿病に関係がある化学成分を計測するセンサを使用することができる。この場合には、在宅健康管理対象の病態は糖尿病である。
【００２８】
　バイオセンサの他の実施例として、胆汁酸、ピルビン酸、ウロビリノーゲン、ビリルビン、または、その他の肝臓病に関係がある化学成分を計測するセンサを使用することができる。この場合には、在宅健康管理対象の病態は肝臓病である。
【００２９】
　バイオセンサのその他の実施例として、蛋白、アルブミン、クレアチニン、シュウ酸、または、その他の腎臓病に関係がある化学成分を計測するセンサを使用することができる。この場合には、在宅健康管理対象の病態は腎臓病である。
【００３０】
　センサのその他の実施例として、乳酸、尿のpH、または、その他のストレス、疲労の度合いの目安となる化学成分を測定するセンサを使用することができる。
【００３１】
　また、健康管理センターは、在宅者から提供される計測データとデータベースに蓄積されている健康管理基礎データとに基づいて当該在宅者の健康状態を推論し、当該在宅者に疾患の可能性があると推論した場合には、当該疾患に対する最適のアドバイスを探索するエキスパートシステム（診断システム）を有することができる。
【００３２】
　健康管理センターは、健康管理基礎データを参照して在宅者から提供される計測データに基づいて当該在宅者の健康状態を診断し、健康管理について在宅者に支援を与えることができる専任の専門家、または、該健康管理センターとインターネット上でリンクした専門家を所属させることができる。
【００３３】
　また、健康管理センターは、在宅者の、推論された健康状態に適合したサービスとして、食事療法、運動療法、または、投薬について、在宅者に支援を与えることができる専任の専門家、または、該健康管理センターとインターネット上でリンクした専門家を所属させることができる。
【００３４】
　健康管理センターは、推論された健康状態に適合した食事療法を実施するために該健康管理センターによって献立された食品を在宅者に提供する、該健康管理センターとインターネット上でリンクした食品提供者を有することができる。
【００３５】
　健康管理センターは、前記在宅者に対して、前記選択サービスとして、計測データから推論される病態についての精密検査をあらかじめ送付した教示情報と材料を用いて在宅で行うことができる。
【００３６】
　健康管理センターは、在宅者の病態検査を行う機能を有する検査会社と業務提携を行っていて、選択サービスとして在宅者の健康管理基礎データと計測データを当該検査会社に提供して、当該検査会社に対して所定の病態検査を行わせることができる。
【００３７】
　サービス受給者装置は、バイオセンサが使用された回数および使用された累積時間とバイオセンサの較正値を計測してバイオセンサのメンテナンス用データとして前記健康管理センターに送信する機能を有し、前記健康管理センターは、バイオセンサのメンテナンスサービスとして、メンテナンス用データをデータベースに蓄積し、更に、データベースに蓄積されているメンテナンス用データから、在宅者に対して、現在のバイオセンサの状態および寿命予告の通知を行うことができる。
【００３８】
　このような在宅者健康管理サービス提供システムにおいては、前記データベースに蓄積されているメンテナンス用データから使用頻度の傾向を分析し、バイオセンサの交換時期、消耗品の必要時期を推論して、必要部材が不足する前に事前に当該必要部材を配達するとともに、その頻度に応じて月極のサービス料金を決定して課金する仕組みのサービスを行うことができる。
【００３９】
　本発明の第２の在宅者健康管理サービス提供方法は、登録された在宅者の健康管理に必要な個人データが健康管理基礎データとして登録され、かつ、在宅者から提供される、日常の健康状態に対応して変化する特定の病態に関連する計測データに基づいて当該在宅者の健康状態を推論し、当該在宅者に、健康管理に必用なサービス、または推論された健康状態に適合したサービスを提供する機能を有し、インターネット上に構築されている健康管理センターによる在宅者健康管理サービス提供方法において、
健康管理基礎データと計測データとに基づいて、登録されている在宅者の個人データと病態を複数の類型に類別してそれぞれの類型に属する在宅者名簿を作成し、前記インターネットを介して登録されている在宅者相互間通信の希望を有する在宅者を募集し、
応募在宅者の、同一類型に属するの在宅者の名簿を、当該類型の応募在宅者に公表する。
この在宅者健康管理サービスによって、同一の病態の在宅者が情報を交換して健康の向上に協力し、相互に激励することができる。
【００４０】
　本発明の第３の在宅者健康管理サービス提供方法は、登録された在宅者の健康管理に必要な個人データが健康管理基礎データとして登録され、かつ、在宅者から提供される計測データに基づいて当該在宅者の健康状態を推論し、当該在宅者に、健康管理に必用なサービス、または推論された健康状態に適合したサービスを提供する機能を有する健康管理センターをインターネット上に構築し、
人体から排泄される尿に含まれている、病態に関連する化学成分値を在宅で経時的に計測して電気的な計測データを自動生成する在宅検査装置を、在宅者健康管理サービスを享受しようとする在宅者に配布し、
登録されている在宅者ごとの計測データを、前記インターネットを介して当該在宅者から前記健康管理センターに収集し、
所定期間、所定回数以上の前記計測データが、所定の範囲内にある場合には生命保険料の割引を要求するための証明書を発行する。
【発明の効果】
【００４１】
　本発明の在宅者健康管理サービス提供方法および在宅者健康管理サービスシステムは、尿中に含まれている所定の化学成分の電気的な計測データをバイオセンサ装置によって自動生成するので、それぞれの在宅者に面倒な手数をかけることなく、必用なデータを収集することができる。その結果、多数の在宅者の健康を集中的に管理することができるので在宅健康管理サービスをビジネスとして成立させることができる。
【発明を実施するための最良の形態】
【００４２】
　図１は、本発明の在宅者健康管理サービス提供方法に使用する検査装置の一例の構成図である。
検査装置１０１は、採尿器１０２とバイオセンサ１０３と支持部１０４と信号処理部１０５とを備えている。
【００４３】
　採尿器１０２は、計測時には便器内に配置され、尿を採取する。バイオセンサ１０３は、該採尿器内部に配置され、尿中に含有されている、病態によって変化する化学成分を検出して電気信号に変換する。支持部１０４は、採尿器１０２を支持すると共にバイオセンサ１０３によって生成された電気信号を信号処理部１０５に伝達する。信号処理部１０５は、バイオセンサ１０３からの電気信号を便器外で処理する。
信号処理部１０５は演算部（図示せず）、記憶部（図示せず）および表示部１０６を備えている。演算部は、バイオセンサ１０３によって生成された電気信号を演算して電気的な測定データを生成する。記憶部は、測定データを記憶する。表示部１０６は電気信号または測定データを表示する。
【００４４】
　本例のバイオセンサ１０３は、検査しようとする病態の計測項目に応じて交換可能である。本例においては、それぞれの病態に応じて次の計測を行う機能を有するバイオセンサが準備されている。
病態：　糖尿病
計測項目：　糖、ケトン体、３？ヒドロキシル酪酸、Ｃ？ペプチド、その他、糖尿病の状態によって変化する化学物質、
病態：　腎臓病
計測項目：蛋白、アルブミン、クレアチニン、シュウ酸、その他、腎臓病の状態によって変化する化学物質
病態：　肝臓病
計測項目：　胆汁酸、ピルビン酸、ウロビリノーゲン、ビリルビン、その他、肝臓病の状態によって変化する化学物質
さらに、運動量によって変化する乳酸
食事内容によって変化するpH
信号処理部１０５はセンサの較正装置をも備えている。
【００４５】
　利用者がこの検査装置を使用する際に、採尿器１０２は収納箇所からボウル上の所定の位置まで自動または手動で移動する。採尿器１０２に溜まった尿は、採尿器中にあるバイオセンサ１０３で分析される。バイオセンサ１０３からの電気信号は信号処理部１０５で処理され、その結果が表示部１０６に表示される。この信号処理部１０５はバイオセンサおよび採尿器と一体化することもできる。また、信号処理部１０５で演算された結果は記憶部に保持される。
【００４６】
　図２は、信号処理部１０５を側方から見た図である。上部は表示部１０６であり、その下に保存液タンク１０７と較正液タンク１０８が収納されている。保存液は、尿や較正液を測定した後に常に採尿器に充填されてバイオセンサ１０３に接触し、バイオセンサの性能を長期間保持する役目を担う。なお、保存液には、一定濃度の塩類とpHを一定に保つ緩衝剤、細菌の繁殖を防ぐ防腐剤が含まれている。較正液は、上記保存液にさらに一定濃度の測定対象の物質を添加して生成する。たとえば、糖を測定する場合には、較正液にグルコースが含まれている。
【００４７】
　図３は、尿測定時および較正時の動作手順を示す図である。尿測定時(図左側)には、採尿器が所定の使用位置まで移動して保存液が尿に置換される（ステップＡ）、尿を測定する（ステップＢ）、採尿器が元の格納位置に戻り、採尿器内部が水道水で洗浄される（ステップｃ）。採尿器内部の水が保存液で置換される（ステップｄ）、最後に保存液の蒸発によるセンサの乾燥を防ぐためにキャップしてスタンバイ状態になる。較正時(図右側)には、`採尿器が所定の位置まで移動して保存液が較正液に置換される（ステップａ）、`較正液を測定する（ステップｂ）、`採尿器が元の格納位置に戻り、水道水で採尿器内部が洗浄される（ステップｃ）。採尿器内部の水が保存液で置換される（ステップｄ）、最後に保存液の蒸発によるセンサの乾燥を防ぐためにキャップしてスタンバイ状態になる。
なお、水道水の代わりに保存液を使用することも可能であり、その場合にはステップ数が少なくなる。保存液や較正液の採尿器への注入は一定量以上が滴下されればよいので、簡易ポンプを適用することができる。また、採尿器は小さいので、置換するための液量は少量でよい。
【００４８】
　図４は、尿中の糖を測定した時にバイオセンサから出力される電流の時間応答特性を示す。電流は約３秒で飽和値に達し、この時の電流値から測定開始時刻（時刻０）の電流値を差し引いた差分が尿糖濃度に依存する。基準糖濃度を、糖濃度既知の較正液のセンサ出力から計算することによって、正確な尿糖濃度を算出することができる。
【００４９】
　検査装置使用時に、使用者の名前やＩＤ番号を、信号処理部１０５に入力することによって、個人毎の健康状態を示すデータベースを作成することができる。
【００５０】
　更に、タイマーを信号処理部１０５に内蔵することによって採尿の時間を保存しておくことも可能である。
【００５１】
　信号処理部１０５は、携帯可能なバイオセンサのデータの入力端子を備えておくと、多種のデータの統合を図ることができる。
【００５２】
　また、上記データベースを統計処理する統計処理部を信号処理部１０５に内蔵することも可能である。データベースまたは統計処理されたデータを回線を介して医療機関に送信することによって、在宅のまま利用者の健康状態を診断することができる。
【００５３】
　またこれらのデータベースに基づいて食生活をコントロールすることも可能である。
【００５４】
　更に、これらのデータを食事の宅配業者等にデータ回線を介して送信することによって毎日の食事の献立表をデータ回線を介し送付してもらうことも可能である。またこの献立表に基づいた食事の宅配も可能である。
【００５５】
　これらの献立表は医療機関からの指示に基づいて作成される場合もある。
【００５６】
　医療機関との双方向通信が可能であるので、診断結果を記憶部に保存することもできる。診断結果に医薬の処方箋を添付することも可能である。
また、記憶部に保存された健康状態の履歴や診断結果は、生命保険料の算定基準等、個人の健康状況に応じた各種サービスに使用することもできる。
【００５７】
　図５は本発明の在宅者健康管理サービス提供方法を実施するための在宅者健康
管理サービス提供システムの一実施形態のブロック図である。
本実施形態の在宅者健康管理サービス提供システムは、サービス供給者である健康管理センター１とサービス受給者（在宅者）装置２がインターネット３を介して接続されている。
【００５８】
　健康管理センター１は、データベース（図示せず）と診断用のエキスパートシステム（図示せず）を備えている。データベースには、登録された在宅者の健康管理に必要な個人データが健康管理基礎データとして登録され、かつ、在宅者から経時的に提供される計測データが蓄積される。
【００５９】
　エキスパートシステムは、在宅者から提供される計測データとデータベースに蓄積されている前記個人データとに基づいて当該在宅者の健康状態を推論し、当該在宅者に疾患の可能性があると推論した場合には、当該疾患に対する最適のアドバイスを探索し、さらに、健康管理に必要なサービス、または推論された健康状態に適合したサービスを探索する。
【００６０】
　健康管理センター１は、健康管理基礎データを参照して在宅者から提供される計測データに基づいて当該在宅者の健康状態を診断し、健康管理について在宅者に支援を与えることができる専任の専門家、または、該健康管理センターと業務上の提携をしていてインターネット上でリンクしている専門家を所属させている。
【００６１】
　また、健康管理センター１には、推論された健康状態に適合したサービスとして、食事療法、運動療法、または、投薬について、在宅者に支援を与えることができる専任の専門家、または、該健康管理センターにリンクした専門家が所属している。
【００６２】
　健康管理センター１には、推論された健康状態に適合した食事療法を実施するために該健康管理センターによって献立された食品、食材を提供する食品提供者がリンクしている。
【００６３】
　在宅者（サービス受給者装置）２は、在宅検査装置２１と情報端末２４を備え、在宅検査装置２１は、検査装置２２と情報処理装置２３を備えている。検査装置２２は、図１の検査装置１０１と同一の構成を有し、体内から排出される物質に含まれている、病態に応じて変化する所定の化学成分を在宅で経時的に検出し、検出値を電気的な測定データに自動変換する。情報処理装置２３は、検査装置２２の出力を加工して所定の形式の計測データを自動生成し、かつ、該計測データを、計測が行われた時間データとともにインターネット３を介して健康管理センター１へ送信するための出力制御と、インターネット３を介して健康管理センター１から送信された情報（サービス）を入力するための入力制御を行う。情報端末２４は、情報処理装置２３とインターネット３との間の信号の授受を行う。情報端末２４は、専用端末、テレビに接続したセットトップボックス、パソコン、 携帯電話、ファクシミリ装置を含むことができる。
【００６４】
　在宅検査装置２１は、経時的に生成された計測データを、健康管理センター１を送信先として情報端末２４を経由してインターネット３上に送信し、健康管理センター１は、受信した計測データが、登録された在宅者（サービス受給者装置）２からの送信であるときには、それをデータベースに登録する。健康管理センター１は、必用な場合には、登録されている健康管理基礎データと、受信した計測データをエキスパートシステムに入力し、エキスパートシステムの出力、または所属している専門家（通常は医師）の診断によって、当該在宅者２の健康状態を推論し、当該在宅者に、健康管理に必要な情報、または診断された健康状態に適合したサービスを提供する。
【００６５】
　本実施形態において、健康管理センター１が在宅者２に提供するサービスには、基本サービスＳ１と選択サービスＳ２がある。
基本サービスＳ１は、健康管理センター１が、登録された総ての在宅者に提供するサービスで、選択サービスＳ２は在宅者が選択することができるサービスである。
【００６６】
　以下、検査装置２２として尿糖計を用いた実施例について、健康管理センター１が提供するサービスについて説明する。
本実施例においては、健康管理センター１は、基本サービスＳ１として、バイオセンサ２２が計測した尿糖に関連する糖尿病の知識を抽出することができるように、尿糖値の集計および視覚化サービスを提供する。そのために、健康管理センター１は、集計された計測データをもとに、過去の測定値、平均値、測定時間別尿糖値変化動向などをグラフ化（視覚化）し、インターネットを通じて在宅者（サービス受給者装置）２へ提供する。このように計測データを視覚化することによって、在宅者が自己の健康状態を知ることが容易になる。更に、この処理によって得られたデータをデータベースに登録する。また、健康管理センター１は、基本サービスＳ１として、専門家の診断を要しない程度の病態については、在宅者の健康管理に関する判断をコメントとして在宅者に通知する。健康管理センター１は、さらに、在宅者に対して、糖尿病についての教育を提供する。
【００６７】
　健康管理センター１は、選択サービスとして、特定の病態の専門家によって与えられる支援を在宅者に提供する。
【００６８】
　本実施例においては、選択サービスＳ２には、専門家によるアドバイスサービスＳ３、検査サービスＳ４、メンテナンスサービスＳ５がある。さらに、特殊サービスとして、メーリングリスト提供サービスＳ６と保険料低減支援サービスＳ７がある。
【００６９】
　専門家によるアドバイスサービスＳ３には、さらに、総合アドバイスサービスＳ３１、食事療法支援サービスＳ３２、運動療法支援サービスＳ３３および投薬支援サービスＳ３４がある。
【００７０】
　総合アドバイスサービスＳ３１は、健康管理センタ１で収集された測定データをもとに、専門家（主に医師）による、糖尿病に対する総合的なアドバイスを作成し、そのアドバイスを、インターネットを通じて在宅者２に提供するサービスである。
このようにして、最新の計測データをもとに、的確な医師の判断（アドバイス）を在宅で容易に得ることができる。
【００７１】
　食事療法支援サービスＳ３２は、センターで集計されたデータから抽出された在宅者の食事時間、食事内容、過去測定値、平均値、測定時間別尿糖値変化動向等から、医師、栄養士等の専門家の意見を加え、ユーザに最適な（カロリー、栄養バランス、好み等を考慮した）少なくとも１つの食事メニューをインターネットを通じて提供する。また、宅配サービスを選択すれば、食品供給者（関連業者）から上記の食事メニューをつくるための食材や食事が宅配される。
【００７２】
　このように、尿糖データおよびその他のデータを集計することによって、リアルタイムに（臨機応変に）最適な食事メニューを編成することができる。例えば、「ここ２、３日は調子がよいので、もう１品増やしましょうか」等。
【００７３】
　運動療法支援サービスＳ３３は、センターで集計されたデータから抽出された在宅者の運動情報、過去測定値、平均値、測定時間別尿糖値変化動向等から、運動療法士、スポーツインストラクターなどを通じて適切な運動メニューを決定し、インターネットを通じて在宅者に提供する。また、適当な運動器具等を推薦する。
【００７４】
　このようにして、尿糖データと運動量との相関を正確に把握することによって、運動療法の効果を向上させることができる。
【００７５】
　投薬支援サービスＳ３４は、センターで集計されたデータから抽出された在宅者の使用薬剤、過去測定値、平均値、測定時間別尿糖値変化動向等から、医師、薬剤師を通じてリアルタイムに投薬の種類および投薬量を決定し、インターネットを通じて在宅者へ情報を提供する。
【００７６】
　リアルタイムな尿糖データによって容易に適正な投薬の種類および投薬量を決定することができ、在宅健康管理の効果を向上させることができる。
【００７７】
　検査サービスＳ４は、糖尿病病態（耐糖能状態）を検査するサービスである。この検査においては、病態についての精密検査をあらかじめ送付した教示情報と材料を用いて在宅で行う。本実施形態においては、在宅者に糖負荷試験（空腹時にブドウ糖液を飲み、一定時間が経過した後の尿糖値を測定する試験）を在宅で行い、また、在宅者の詳しい病態情報、その他の生化学的情報を、インターネットを通じて在宅者から収集して、在宅者のより詳しい病態を把握する。健康管理センター１に蓄積された在宅者個人の過去情報、データベースに登録されている他の在宅者のデータとの比較を行って、信頼性の高い検査をする。
このようにして、自営業、主婦など、平素、検診を受ける機会が少ない人たちが、簡単に糖尿病の検査をすることができる。また、糖負荷試験は、通常の検診（空腹時尿検査）に比較して、早期に耐糖能異状を発見する可能性が高く、日頃、検査を受けている人にも有効である。
【００７８】
　なお、図５の検査サービスＳ４と在宅者２との間の往復の矢線のうち、検査サービスＳ４から在宅者２に向かう矢線は、検査サービスのために、健康管理センター１から在宅者２へ糖負荷試験のための教示情報を直接、電話やFAXなどで伝える場合を表し、在宅者２から検査サービスＳ４へ向かう矢線は、在宅者からの質問などを電話やFAXなどで直接受ける場合を表している。糖負荷試験に用いられるブドウ糖は、健康管理センター１の指示によって関連業者５から在宅者２に提供される。
【００７９】
　メンテナンスサービスＳ５は、尿糖計のメンテナンスを支援するサービスである。センサ使用累積時間とセンサ使用累積回数は尿糖計に内蔵されているタイマとカウンタによって使用毎に計測され、計測データと共に健康管理センター１に送信される。このメンテナンスサービスＳ５によって、健康管理センター１で総合的に集計されたデータから、バイオセンサの寿命、消耗品の消費量を判断し、インターネットを通じて在宅者２へバイオセンサ２２の状態、寿命予告を通知する。さらに、尿糖計メーカー（関連業者）５から宅配便などを通じて交換部品、消耗品の送付を行う。
【００８０】
　このようにして、在宅者が業者の訪問を受けることなく、健康管理センター１が在宅検査装置のメンテナンス管理を行うことができる。また、適当なタイミングで部品交換を行うことができる。
図５の、関連業者５と在宅者２間の太い矢線は物の移動を示している。多くの場合、物は、関連業者５から在宅者２に流れるが、例えば、在宅検査装置２の部品を関連業者５に検査してもらう場合には物は在宅検査装置２から関連業者５へ流れる。
【００８１】
　健康管理センター１は、その他の選択サービスＳ２として病態別メーリングリストサービスＳ６および保険料低減支援サービスＳ７を行う。これらのサービスは、医療と直接関係はないけれど、在宅者２の健康管理意識を向上させる。
病態別メーリングリストサービスＳ６は、インターネット３を通じて収集された尿糖値、年齢、性別などにデータをもとに、メーリングリストを作成するサービスである。健康管理センター１は、インターネットを介して登録されている在宅者相互間通信の希望を有する在宅者を募集し、応募在宅者と同一病態の在宅者の名簿を、当該病態の応募在宅者に公表する。希望者はメーリングリスト内で情報（近況、アドバイス、競争等）の通信を行う。
このようにして、同様の病態、年齢毎の仲間（メーリングリスト）によって糖尿病に対する共通の悩み等を共有することによって治療に役立てることができる。
【００８２】
　保険料低減支援サービスＳ７は、インターネット３を通じて収集される或る一定期間（例えば１年）の尿糖値、測定回数から、翌年以降の保険料低減のための資料を提供するサービスである。
このようにして、例えば、定期的な測定を行っている場合において病態の進行が尿糖値からは認められないときには、翌年の保険料を割り引くための証明書を発行するサービスが可能になる。
【００８３】
　図６は、本発明の在宅者健康管理サービス提供方法を実施するための、在宅者健康管理サービス提供システムの一実施形態のデータの流れを示すブロック図、図７は、本発明の在宅者健康管理サービス提供システムの、図６の実施形態のサービスの流れを示すブロック図である。
【００８４】
　図６を参照すると、総てのデータは在宅者２から健康管理センター１に集められ、必用なデータが専門家４および関連業者５に流れる。
在宅者（尿糖計使用者）２は健康管理基礎データ（以下、基礎データと記す）および尿糖データを健康管理センター１を宛先としてインターネット上に送信する。
【００８５】
　基礎データは、予め（在宅者が健康管理センター１の実質的なサービスを受けるのに先立って）健康管理センター１のデータベースに登録される。基礎データとして在宅者の年齢、性別、身長、体重、体脂肪率、血圧、運動強度、睡眠時間、食事時間、食事量が在宅者２から健康管理センター１に送信される。さらに、基礎データとして、遺伝子検査による在宅者の遺伝子情報を加えることにより、サービスの信頼性を向上させ、サービスの範囲を増加させることができる。これらの基礎データは、通常１回の送信（入力）でよいが、変化、変更、追加等があった場合には、随時、または定期的に再送信することができる。また、検査会社は、在宅に装備していない検査項目を測定するサービスを提供する。たとえば遺伝子検査や、尿、血液などの検体中のホルモン、抗体などの特殊検査を実施して、病態の精密検査を行う。なお、そのサービスを選択したときは、検体を採取、運搬する容器などの部材はあらかじめ関連業者５から送付される。
【００８６】
　尿糖データとして尿糖値、測定日時、センサ使用累積時間、センサ使用累積回数、較正値が在宅者２から健康管理センター１に送信される。このうち、センサ使用累積時間とセンサ使用累積回数は、尿糖計に内蔵されているタイマとカウンタによって使用毎に計測され、情報処理装置内のメモリに記憶された値である。また、尿糖計は、尿と化学反応をするために、使用時間に依存して劣化する。その理由で、尿糖計は、時々、標準液に浸して較正され、情報処理装置２３に自動記録されている。在宅者２から健康管理センター１に送信される較正値は、その最後の較正値である。
【００８７】
　健康管理センター１に送信されたデータのうち、基礎データは、健康管理基礎データとしてデータベースに登録され、尿糖データのうちの尿糖値は較正値によって較正された後に、測定日時と共に、見易い形（糖尿病の病態を抽出し易い形式）に加工されて、データベースに格納されるとともに、当該在宅者を宛先としてインターネット上に送信される。この加工されたデータは当該在宅者に対する基本サービスである。尿糖データのうち、センサ使用累積時間とセンサ使用累積回数は、健康管理センター１においてセンサ状態調査のために更に集計されてメンテナンスサービスＳ５に使用される。
【００８８】
　在宅者２が、選択サービスのうちの、総合アドバイスサービスＳ３１、食事療法サービスＳ３２、運動療法サービスＳ３３、投薬支援サービスＳ３４のいずれかを選択したときには、上記の加工された尿糖データは、医師、薬剤師、栄養士または運動療法士によって閲覧される。
【００８９】
　図６においては、専門家４が健康管理センター１から独立している実施例が描かれているけれど、このような実施例では、専門家は、業務としては健康管理センター１と提携し、インターネット上では、健康管理センター１とリンクしたサイトを構成している。この場合には、上記の加工された尿糖データは、専門家４を宛先として健康管理センター１からインターネット３上に送信される。しかし、健康管理センター１には、専任の専門家と提携した専門家との両方が所属していることもある。このような場合には、健康管理センター１は、専任の専門家が対応することができないサービスについて、インターネットを介して提携した専門家にサービスを要求する。
【００９０】
　健康管理センター１は、さらに、食事療法支援サービスＳ３２、メンテナンスサービスＳ５、または保険料低減支援サービスＳ７を提供するために、食品供給者、尿糖計メーカー、または生命保険業者と業務上提携し、インターネット上ではリンクしている。
【００９１】
　在宅者の希望がある場合には、健康管理センター１は、生命保険料の低減のために前記の加工された尿糖データを、関連業者（生命保険業者）５を宛先にしてインターネット３上に送信する。また、健康管理センター１は、尿糖計のメンテナンスのために前記のセンサ状態調査の結果を、関連業者（尿糖計メーカー）５を宛先にしてインターネット３上に送信する。
【００９２】
　図６に示されているデータの流れに応答して、健康管理サービスは図７の矢印のように流れる。図７において太い矢線は物の流れであり、その他の矢線は情報の流れである。
【００９３】
　在宅者が受けるサービスとして基本サービスと、投薬アドバイス、食事アドバイス、運動アドバイス、病態判断・総合アドバイス、メーリングリストサービス、食事提供サービス、メンテナンス支援サービス（部品交換サービス、消耗品提供サービス）、保険料低減支援サービスが図示されている。これらのサービスのうち、基本サービス以外は選択サービスである。
【００９４】
　また、これらのサービスのうち、基本サービスと、投薬アドバイス、食事アドバイス、運動アドバイス、病態判断、メーリングリストサービスは情報のサービスで、健康管理センター１から提供される。食事提供サービス、部品交換サービス、消耗品提供サービス、保険料低減支援サービス（保険契約書の発行）は物のサービスで、宅配業者６を介して関連業者５から在宅者に提供される。
【００９５】
　図７の専門家４から出ている矢線は２種類のサービスの流れを示す。第１のサービスは、専門家の専門知識を健康管理センター１に提供するサービスである。第２のサービスは、専門家４のサービスを直接、在宅者２にダウンロードするサービスである。専門家４は、インターネット上で健康管理センター１にリンクしているので、在宅者２は、在宅で情報処理装置２３の表示画面上に健康管理センター１の頁を読み出して、その頁の表示画面上で、リンク先の専門家のリンク文字またはリンク画像をクリックすることによって、当該専門家４の頁にアクセスすることができる。
【００９６】
　関連業者５から出ている細い矢線も同様なサービスの流れを示している。在宅者２は、在宅で情報処理装置２３の表示画面上に健康管理センター１の頁を読み出して、その頁の表示画面上で、リンク先の関連業者５のリンク文字またはリンク画像をクリックすることによって、当該関連業者５の頁にアクセスすることができ、インターネットを介して所望の情報を得ることができる。
【００９７】
　上記の実施例は、バイオセンサとして尿糖計を使用し、従って、健康管理対象の病態は糖尿病である場合の例である。
しかし、本発明は、尿糖計以外のバイオセンサを用いた場合にも適用することができる。前掲のように、図１の検査装置１０１は、バイオセンサ１０３を取り替えることによって、健康管理対象病態に応じて次の項目を計測することができる。
病態：　糖尿病
計測項目：　糖、ケトン体、３？ヒドロキシル酪酸、Ｃ？ペプチド、その他、糖尿病の状態によって変化する化学物質、
病態：　腎臓病
計測項目：蛋白、アルブミン、クレアチニン、シュウ酸、その他、腎臓病の状態によって変化する化学物質
病態：　肝臓病
計測項目：　胆汁酸、ピルビン酸、ウロビリノーゲン、ビリルビン、その他、肝臓病の状態によって変化する化学物質
さらに、運動量によって変化する乳酸
食事内容によって変化するpH
これらのデータを複合し、解析することによって、特に病態として問題がない場
合でも、ストレス、疲労などの度合いの目安とすることができる。
【００９８】
　その他のサービスとして、在宅の測定装置で、病気等の疑いが持たれたとき、または、さらに詳しい病態検査を行いたいとき、尿、血液、遺伝子などの検査を、専門の（臨床）検査会社において受けるサービスをも提供することができる。
【００９９】
　また、在宅者健康管理に必用な部材のメンテナンスのためのサービスとして、データベースに蓄積されているメンテナンス用データから使用頻度の傾向を分析し、バイオセンサの交換時期、消耗品の必要時期を推論して、必要部材が不足する前に事前に配達されるとともに、その頻度に応じて月極のサービス料金を決定して課金するサービスがある。
【０１００】
　以上の健康管理サービスは、登録された在宅者に対するサービスで、原則的に有償である。有償のサービスには、サービスの種類に応じて課金される。サービスの代価は、単独で回収する場合、装置に含む場合、または、サービスの代金に、装置の代金を含む場合が考えられる。
健康管理センター１は、その他に、インターネット上にホームページを開設して健康管理センター１の活動に関連する情報を開示し、または無償のサービスを提供することができる。
【図面の簡単な説明】
【０１０１】
【図１】本発明の在宅者健康管理サービス提供システムに使用する検査装置の一例の構成図である。
【図２】信号処理部１０５を側方から見た図である。
【図３】尿測定時および較正時の動作手順を示す図である。
【図４】尿中の糖を測定した時にバイオセンサから出力される電流の時間応答特性を示す図である。
【図５】本発明の在宅者健康管理サービス提供方法を実施するための在宅者健康管理サービス提供システムの一実施形態を示すブロック図である。
【図６】図５の在宅者健康管理サービス提供システムのデータの流れを示すブロック図である。
【図７】図６の実施形態のサービスの流れを示すブロック図である。
【符号の説明】
【０１０２】
　１　健康管理センター
　２　サービス受給者装置（在宅者）
　３　インターネット
　４　専門家
　５　関連業者
　６　宅配業者
　２１　在宅検査装置
　２２　検査装置
　２３　情報処理装置
　２４　情報端末
　１０１　検査装置
　１０２　採尿器
　１０３　バイオセンサ
　１０４　支持部
　１０５　信号処理部
　１０６　表示部
　１０７　保存液タンク
　１０８　較正液タンク
【図１】
2004038990.tif 000003
【図２】
2004038990.tif 000004
【図３】
2004038990.tif 000005
【図４】
2004038990.tif 000006
【図５】
2004038990.tif 000007
【図６】
2004038990.tif 000008
【図７】
2004038990.tif 000009